(57)【要約】【課題】生体信号の測定値が日内変動する場合、生体信号の測定値を正確に評価し、また評価者が測定値に対する設定を柔軟に対応できる生体信号測定値評価システムを提供する。【解決手段】少なくとも入力部とデータ処理部と出力部とで構成し、前記入力部は生体信号の測定値を入力する機能を有し、前記データ処理部は閾値設定手段と測定値評価手段とを有し、前記閾値設定手段は前記測定値に対する閾値として前記測定値の測定条件により２つ以上の前記閾値を設定する機能を有し、前記測定値評価手段は前記測定値と前記閾値との比較により前記測定値に対する測定値評価フラグを付与する機能を有し、前記出力部は前記測定値評価フラグを出力する機能を有することにより生体信号の測定値を評価をする。【選択図】図２
2007117434.tif 000002
【特許請求の範囲】
【請求項１】
少なくとも入力部とデータ処理部と出力部とで構成し、
前記入力部は生体信号の測定値を入力する機能を有し、
前記データ処理部は閾値設定手段と測定値評価手段とを有し、
前記閾値設定手段は前記測定値に対する閾値として前記測定値の測定条件により２つ以上の前記閾値を設定する機能を有し、
前記測定値評価手段は前記測定値と前記閾値との比較により前記測定値に対する測定値評価フラグを付与する機能を有し、
前記出力部は前記測定値評価フラグを出力する機能を有する
ことを特徴とする生体信号測定値評価システム。
【請求項２】
測定条件は測定値の測定時刻が食事時刻後所定時間以内かまたは前記食事時刻後所定時間以外かとすることを特徴とする請求項１記載の生体信号測定値評価システム。
【請求項３】
測定条件は測定値の測定時刻が睡眠中かまたは前記睡眠中以外かとすることを特徴とする請求項１記載の生体信号測定値評価システム。
【請求項４】
測定条件は測定値の測定時刻が運動中かまたは前記運動中以外かとすることを特徴とする請求項１記載の生体信号測定値評価システム。
【請求項５】
測定条件は測定値の測定時刻が所定時間内かまたは前記所定時間以外かとすることを特徴とする請求項１記載の生体信号測定値評価システム。
【請求項６】
測定条件は測定値の測定時刻と前記測定時刻直前の食事時刻との時間差が所定時間内かまたは前記所定時間以外かとすることを特徴とする請求項１記載の生体信号測定値評価システム。
【請求項７】
測定条件は、測定値の測定時刻と前記測定時刻直前の起床時刻との時間差が所定時間内かまたは前記所定時間以外かとすることを特徴とする請求項１記載の生体信号測定値評価システム。
【請求項８】
閾値設定手段は測定値に対する閾値として前記測定値の測定条件により２つ以上の前記閾値を設定し、かつ前記閾値として上限閾値と下限閾値を設定する際、前記上限閾値と前記下限閾値の差を一定に保持して前記閾値を設定する機能を有することを特徴とする請求項１から請求項７記載の生体信号測定値評価システム。
【請求項９】
閾値設定手段は測定値に対する閾値として前記測定値の測定条件により２つ以上の前記閾値を設定し、前記所定時間の間隔を設定する機能を有することを特徴とする請求項５から請求項７記載の生体信号測定値評価システム。
【請求項１０】
閾値設定手段は測定値に対する閾値として前記測定値の測定時刻と前記測定時刻直前の食事時刻との時間差が所定時間かまたは前記所定時間以外かにより２つ以上の前記閾値を設定する際に、前記閾値を設定する前記時間差の最大値を設定する機能を有することを特徴とする請求項６から請求項７記載の生体信号測定値評価システム。
【請求項１１】
閾値設定手段は測定値に対する閾値として前記測定値の測定時刻と前記測定時刻直前の起床時刻との時間差が所定時間かまたは前記所定時間以外かにより２つ以上の前記閾値を設定する際に、前記閾値を設定する前記時間差の最大値を設定する機能を有する
ことを特徴とする請求項６から請求項７記載の生体信号測定値評価システム。
【発明の詳細な説明】
【技術分野】
【０００１】
本発明は測定した生体信号に対し、事前に設定した測定値に対する閾値との比較により、生体信号の測定値を評価する生体信号測定値評価システムに関するものである。
【背景技術】
【０００２】
従来の生体信号評価システムでは、生体信号の測定値に対する閾値を事前に設定し、測定者の生体信号測定値を比較して、測定値が閾値を超過した場合に、健康状態に対して注意を促す通知を測定者、および測定者を管理している医療機関に対して行っていた。
【０００３】
従来の生体信号測定値評価システムを説明するために、図１５に従来の閾値設定画面を示す。ここで、生体信号の測定値に対する閾値を事前設定するために、アラートボタン１５０１を押し、閾値設定画面を表示する。次に測定者リスト１５０２から測定者の選択を行い、その測定者に対する各生体信号の閾値１５３０、すなわち各生体信号に対する上限値、および下限値を入力ボックス１５０４へ入力し、全ての生体信号に対する閾値の入力を行ったあと、追加ボタン１５０５を押し、各生体信号に対する閾値設定を保存していた（例えば、特許文献１参照）。
【０００４】
しかしながら、従来の生体信号測定値評価システムでは、生体信号の測定値が測定時刻により変動する場合がある事を十分に考慮されていなかった。たとえば、生体信号として血糖値を考えた場合、血糖値は空腹時と食事２時間後では、その測定値が大きく異なり、一般的には食後の方が血糖値が高くなる。
【０００５】
このことは、日本糖尿病学会が発行している糖尿病ガイドライン（糖尿病  ４５巻  Ｓｕｐｐｌｅｍｎｅｔ  １  ２００２年発行  を参照）にも記述がある。一例として、糖尿病ガイドラインにおいて、血糖コントロールの評価が良（ｇｏｏｄ）となるものは、空腹時血糖値が１００ｍｇ／ｄＬ以上１２０ｍｇ／ｄＬ未満であり、食後２時間後血糖値が１２０ｍｇ／ｄＬ以上１７０ｍｇ／ｄＬ未満である。このように、血糖値の評価は、空腹時と食後２時間後で大きく異なるものの従来のシステムではこの事に考慮されておらず、血糖値の閾値として上限値と下限値を設定するのみであった。
【０００６】
また、生体信号のもう一つの例として血圧値がある。血圧値は最高血圧値と最低血圧値がの２種類が存在しているが、この両方が日内変動があるため測定時刻により測定値が変化をする。すなわち血圧値の評価を厳密に行うためには、血圧値の閾値として測定時刻を考慮する必要性がある。にもかかわらず、現状では血圧値の閾値として測定時刻を考慮するシステムはなっていなかった。
【特許文献１】特開２００２−８３０６６号公報（第１８頁、第１２図）
【発明の開示】
【発明が解決しようとする課題】
【０００７】
しかしながら、従来の生体信号測定値評価システムは、測定時刻により測定値の評価を行う閾値が変動する生体信号に対しては、その時間的変動を無視していたという課題があった。
【０００８】
本発明は、従来の課題を解決するためになされたもので、生体信号の測定値を評価するために、事前に設定する閾値として、生体情報の測定条件もしくは測定時刻を考慮し、測定値がその閾値を超過するかどうかで生体信号の測定値を評価することを特徴とする生体信号測定値評価システムを提供することを目的とする。
【課題を解決するための手段】
【０００９】
本発明の生体信号測定値評価システムは、少なくとも入力部とデータ処理部と出力部を有し、前記入力部は生体信号の測定値を入力する機能を有し、前記データ処理部は閾値設定手段と測定値評価手段とを有し、前記閾値設定手段は前記測定値に対する閾値として前記測定値の測定条件により２つ以上の前記閾値を設定する機能を有し、前記測定値評価手段は前記測定値と前記閾値との比較により前記測定値に対する測定値評価フラグを付与する機能を有し、前記出力部は前記測定値評価フラグを出力する機能を有することを特徴とする。
【００１０】
この構成により、生体信号の測定値とそれに対する閾値が測定条件に対して変動する場合においても、生体信号の測定値を正確に評価することができる。
【００１１】
また、本発明の生体信号測定値評価システムは測定条件として測定値の測定時刻が食事時刻後所定時間以内かまたは前記食事時刻後所定時間以外かとすることを特徴とする。
【００１２】
この構成により、生体信号の測定値が食事に対して変動する場合に、生体信号の測定値を正確に評価することができ、評価者による評価作業量を低減することができる。
【００１３】
また、本発明の生体信号測定値評価システムは測定条件として、測定値の測定時刻が睡眠中かまたは前記睡眠中以外かとすることを特徴とする。
【００１４】
この構成により、生体信号の測定値が睡眠に対して変動する場合に、生体信号の測定値を正確に評価することができ、評価者による評価作業量を低減することができる。
【００１５】
また、本発明の生体信号測定値評価システムは測定条件として測定値の測定時刻が運動中かまたは前記運動中以外かとすることを特徴とする。
【００１６】
この構成により、生体信号の測定値が運動に対して変動する場合に、生体信号の測定値を正確に評価することができ、評価者による評価作業量を低減することができる。
【００１７】
また、本発明の生体信号測定値評価システムは測定条件として測定値の測定時刻が所定時間内かまたは前記所定時間以外かとすることを特徴とする。
【００１８】
この構成により、生体信号の測定値が測定時刻に対して変動する場合に、生体信号の測定値を正確に評価することができ、評価者による評価作業量を低減することができる。
【００１９】
また、本発明の生体信号測定値評価システムは測定条件として測定値の測定時刻と前記測定時刻直前の食事時刻との時間差が所定時間内かまたは前記所定時間以外かとすることを特徴とする。
【００２０】
この構成により、生体信号の測定値が測定時刻と直前の食事時刻との時間差に対して変動する場合に、生体信号の測定値を正確に評価することができ、評価者による評価作業量を低減することができる。
【００２１】
また、本発明の生体信号測定値評価システムは測定条件として測定値の測定時刻と前記測定時刻直前の起床時刻との時間差が所定時間内かまたは前記所定時間以外かとすることを特徴とする。
【００２２】
この構成により、生体信号の測定値が測定時刻と直前の起床時刻との時間差に対して変動する場合に、生体信号の測定値を正確に評価することができ、評価者による評価作業量を低減することができる。
【００２３】
また、本発明の生体信号測定値評価システムは、閾値設定手段が測定値に対する閾値として前記測定値の測定条件により２つ以上の前記閾値を設定しかつ前記閾値として上限閾値と下限閾値を設定する際、前記上限閾値と前記下限閾値の差を一定に保持して前記閾値を設定する機能を有することを特徴とする。
【００２４】
この構成により、生体信号の測定値から生体信号の測定値を評価する場合、評価者による閾値設定作業の作業量を低減することができる。
【００２５】
また、本発明の生体信号測定値評価システムは、閾値設定手段が測定値に対する閾値として前記測定値の測定時刻と前記測定時刻直前の食事時刻との時間差が所定時間か前記所定時間以外かにより２つ以上の前記閾値を設定する際に、前記閾値を設定する前記時間差の最大値を設定する機能を有することを特徴とする。
【００２６】
この構成により、生体信号の測定値が測定時刻と直前の食事時刻との時間差に対して変動する場合に、生体信号の測定値を正確に評価することができ、評価者による閾値設定作業の作業量を低減することができる。
【００２７】
また、本発明の生体信号測定値評価システムは、閾値設定手段が測定値に対する閾値として前記測定値の測定時刻と前記測定時刻直前の起床時刻との時間差が所定時間か前記所定時間以外かにより２つ以上の前記閾値を設定する際に、前記閾値を設定する前記時間差の最大値を設定する機能を有することを特徴とする。
【００２８】
この構成により、生体信号の測定値が測定時刻と直前の起床時刻との時間差に対して変動する場合に、生体信号の測定値を正確に評価することができ、評価者による閾値設定作業の作業量を低減することができる。
【発明の効果】
【００２９】
本発明は、生体信号の測定値に対して、事前に閾値を設定し、その閾値として測定条件および測定時刻に応じて変動する閾値を設定できる機能を有することにより、生体信号の測定値をより正確に評価でき、かつ生体信号の測定値を評価する人にとっては、生体信号の評価設定方法に対してより柔軟性を与えることができ、かつ評価するための作業量を低減することができる。
【発明を実施するための最良の形態】
【００３０】
以下、本発明を実施するための最良の形態について、図面を参照しながら説明する。尚、全図を通じて同一符号は同一対象物を表す。
【００３１】
（実施の形態１）
本発明の第１の実施の形態について説明する。第１の実施の形態は生体信号の測定値を評価するために測定条件、ここでは食前、食後に応じた閾値を設定し、その測定時刻に応じた閾値と比較することにより、生体信号の測定値を評価する処理の動作について説明する。ここで、食後とは食事時刻後所定時間内を意味し、また食前とは食事時刻後所定時間以外を意味し、所定時間は生体信号により変動するものである。
【００３２】
図１は、本発明の第１の実施の形態における生体信号測定値評価システムの構成図である。図１において、生体信号測定値評価システムは入力、出力を制御したりデータ処理を行う制御部１０１と、測定値や測定値評価結果を保存している記憶部１０２と、生体情報の閾値や設定の入力を行う入力部１０３と、設定確認や評価結果を画面表示を行うための表示部１０４から構成される。また生体信号の測定値は、入力部１０４を介して入力し、記憶部１０２に保存するものとして説明する。
【００３３】
但し、生体信号の測定値入力経路として、通信部を介して外部システムから測定値を入力する方式も想定でき、これに限定するものではない。また、入力部１０３としては説明の中でマウス、およびキーボードとして説明しているが、ジョグダイヤルやタッチパネルなど、人が機器に入力するものを全て含み、これに限るものではない。また表示部１０４は、画面表示として説明するが、出力方式としては、音声出力や振動出力なども想定でき、これに限定するものではない。
【００３４】
以上の生体信号測定値評価システムについて、処理の流れを図２を用いて説明する。図２は、本発明の第１の実施の形態における生体信号測定値評価システムの流れ図である。このシステムは生体信号の測定値を評価する評価者、例えば医療機関における医師や看護師、の利用を想定している。
【００３５】
評価者はまずシステムに対して、行う処理を入力部１０１を介して入力し（Ｓ２０１）、入力された処理を制御部１０１で判定を行う（Ｓ２０２）。そして、評価者が入力として設定処理を選択した場合、生体信号の測定値に対する閾値設定処理を行う（Ｓ２０３）。
【００３６】
また、測定者の生体信号測定値入力があった場合、記憶部１０２に保存し、制御部１０１において測定値評価処理を行う（Ｓ２０４）。また、評価者が入力として測定結果表示を選択した場合、記憶部１０２に保存されている生体信号測定値、および測定値評価結果の画面表示を行う（Ｓ２０５）。また、評価者が入力として終了処理を選択した場合、システムを終了する。
【００３７】
以上の生体信号測定値評価システムおいて、最初に閾値設定処理（Ｓ２０３）について図３から図６を用いてさらに詳細を説明し、次に測定値評価処理（Ｓ２０４）について図７から図８を用いて詳細に説明し、最後に測定結果画面について図９を用いて詳細に説明する。以降、測定対象となる生体信号は血糖値としてより具体的に説明する。
【００３８】
図３は閾値設定処理の流れを示し、図４は閾値設定画面を示す。評価者が閾値設定処理を選択すると、閾値設定画面を表示する（Ｓ３０１）。まず、最初に評価者が対象測定者を測定者選択リスト４０１から選択する（Ｓ３０２）。次に、評価者は測定選択リスト４０２から生体信号の測定項目、例えば血糖、血圧、体重などを選択する（Ｓ３０３）。
【００３９】
ここで、この測定者リスト、および測定項目リストは、評価者が事前に入力済であると仮定する。また、ここでは測定項目として、血糖を例にとって説明するが、これに限るものではない。
【００４０】
次に評価者は測定項目の測定値に対する閾値を入力する。具体的な作業としては、食前測定値に対する上限値（これをＴＨ＿Ｂと表記する）を入力ボックス４０３に入力し（Ｓ３０４）、食後測定値に対する上限値（これをＴＨ＿Ａと表記する）を入力ボックス４０４に入力し（Ｓ３０５）、測定値に対する下限値を入力ボックス４０５に入力する（Ｓ３０６）。
【００４１】
評価者が入力した設定値を保存する場合は保存ボタン４０６を、また設定値を保存しない場合は取消ボタン４０７を押し（Ｓ３０７）、設定保存の判定を行う（Ｓ３０８）。そして設定値を保存する場合は、設定値が数値であり正しい範囲に入っているか、また上限値、下限値の大小関係が逆になっていないかなどを確認する処理を行い（Ｓ３０９）、設定値が正常範囲であるかの判定を行い（Ｓ３１０）、設定値が正常範囲でない場合はエラー内容を画面表示する処理を行い（Ｓ３１１）、設定値が正常範囲である場合は、設定値を記憶部１０２に保存する処理を行い（Ｓ３１２）、その後、閾値設定画面の表示を終了する（Ｓ３１３）。ここでは、上限値についてのみ食前と食後で異なる設定を行う説明をしたが、下限値についても当然適用可能であるが、説明を省略する。
【００４２】
図５は記憶部１０２における閾値設定の記憶形式を示しており、一例としてデータベースで設定値を保持している場合の説明を行う。図５は、本発明の第１の実施の形態における生体信号測定値評価システムの閾値設定値の保存形式説明図である。
【００４３】
記憶部１０２（図1に記載）におけるデータベース内では、閾値設定テーブル５０１（図面の破線で囲ったもの）で管理している。そして閾値設定テーブル５０１には、複数の閾値設定を管理しており、一対の閾値設定をレコードという単位で保存している。
【００４４】
そして閾値設定レコードには次の複数の項目が含まれる。１つのレコードに含まれる項目は、測定者を特定するための測定者ＩＤ，測定する生体信号を特定するための測定種別、測定が食前に行われたか食後に行われたかをしめす時刻種別、閾値設定処理で入力された閾値、測定値および閾値の単位、設定者を特定する設定者ＩＤ、設定した日時を特定するための設定日時、からなる。また、図６は閾値設定の記憶形式における各項目の具体的な設定値の一例である。
【００４５】
図７は測定値評価処理の流れを示す。この処理は、生体信号の測定値が入力部１０４（図1に記載）を介して入力された時に、制御部１０１（図1に記載）で行われるものである。
【００４６】
まず、入力された生体信号の測定値を読み込み、それと同時に記憶部１０２（図1に記載）に対して測定値および測定時刻などを保存する（Ｓ７０１）。
【００４７】
次に、生体信号の測定値が有効であるかどうか、すなわち測定値が数値であるか、その数値は正常な範囲のものであるかなどの確認を制御部１０１で行い、もし測定値が有効なものでなければ、測定値評価処理を終了する。
【００４８】
次に、生体信号の測定条件が食前か食後かを判断する。ここでは、入力部１０３（図1に記載）を介して測定値に対する測定条件、すなわち測定時刻が食前か食後が入力されているものとする。
【００４９】
また別の例では、血糖計の場合、測定者が血糖計で血糖値測定を行った後に、その測定に対する食後マークの付与／非付与を測定者が血糖計に対して入力し、血糖計の記憶部でその測定に対して食後マークを保存する機能があり、この食後マークを参照すれば、測定条件が食前か食後かを判断できる。
【００５０】
そして測定値の測定条件が食前の場合、食前閾値ＴＨ＿Ｂを読み込み（Ｓ７０４）、測定値が食前閾値ＴＨ＿Ｂを超過しているかを判定し、超過している場合は、その測定値に対する評価フラグに食前閾値超過として、記憶部１０２に保存する処理をおこない（Ｓ７０８）、測定値が食前閾値ＴＨ＿Ｂを超過していない場合は、その測定値に対する評価フラグに測定値正常として、記憶部１０２に保存する処理を行う（Ｓ７１０）。
【００５１】
また、測定値の測定条件が食後の場合、食後閾値ＴＨ＿Ａを読み込み（Ｓ７０５）、測定値が食後閾値ＴＨ＿Ａを超過しているかを判定し、超過している場合は、その測定値に対する評価フラグに食後閾値超過として、記憶部１０２に保存する処理をおこない（Ｓ７０８）、測定値が食後閾値ＴＨ＿Ａを超過していない場合は、その測定値に対する評価フラグに測定値正常として、記憶部１０２に保存する処理を行う（Ｓ７１０）。
【００５２】
そして、測定値に対する評価結果を評価者に通知する必要がある場合は、評価結果を通知する処理を行い（Ｓ７１１）、測定値評価処理を終了する。
【００５３】
評価結果を評価者に通知する手段としては、表示部１０３に対して通知内容を画面表示を行う方法や、構成として音声出力部が存在する場合は音声出力部を介して音声通知する方法や、構成として通信部が存在する場合は通信部を介して電子メール送信による文字通知や電話による音声通知などを含み、あらゆる通知方法が含まれるものとする。
【００５４】
また、図７を用いた処理の流れ説明では、下限値に対する判定処理を省略しているが、下限値を超過した場合も評価フラグに下限値超過を保存し、記憶１０２に保存する処理も当然行うことが考えられる。また、図８は生体信号の測定値および測定値評価結果の具体的な値の一例である。
【００５５】
図９は測定結果画面を示すものである。評価者が測定者リスト９０１で測定者を入力部１０３を介して選択し、測定項目リスト９０２から測定項目を入力部１０３を介して選択し、表示部１０４に、対象測定者の対象測定項目に対する測定結果が表示される。測定結果画面に表示されるものは、横軸が日時で縦軸が測定値、但しこの例では血糖値であり、測定値グラフ９０３、食後測定値に対する上限値グラフ９０４、食前測定値に対する上限値グラフ９０５、下限値グラフ９０６が表示される。さらに、測定値が閾値を超過した場合は、９０７のように表示部１０４を介して、評価者に通知することも考えられる。そして、評価者が測定結果画面を終了したい場合は、入力部１０３を介して取消ボタン９０８を押すと画面表示を終了する。
【００５６】
本発明の第１の実施の形態では、測定条件として食前と食後で異なる閾値設定を行うことを説明したが、測定条件としては食事以外にも考えらる。例えば、測定値の測定時刻が睡眠中かそれ以外かで異なる閾値を設定を行う方式や、測定値の測定時刻が運動中かそれ以外かで異なる閾値設定を行う方式も当然考えられる。
【００５７】
（実施の形態２）
本発明の第２の実施の形態について説明する。第２の実施の形態は生体信号の測定値を評価するために測定時刻に応じた閾値を設定し、その測定時刻に応じた閾値と比較することにより、生体信号の測定値を評価する処理の動作について説明する。
【００５８】
本発明の第２の実施の形態における生体信号測定値評価システムの構成図は図１と同じであるため説明を省略する。また、本発明の第２の実施の形態における生体信号測定値評価システムにおける、処理の流れは図２と同じであるため説明を省略する。
【００５９】
以上の生体信号測定値評価システムおいて、最初に閾値設定処理（Ｓ２０３）について図３、図１０、図１１を用いてさらに詳細を説明し、次に測定値評価処理（Ｓ２０４）について図７、図１２を用いて詳細に説明する。以降、測定対象生体信号は最高血圧としてより具体的に説明する。但し、生体信号として最高血圧に限るものではなく、他の生体信号の測定値に対しても本発明の生体信号測定評価システムは適用可能である。
【００６０】
閾値設定処理の流れは、図３と一部同じであり、その同じ部分に関する説明は省略し、異なる部分の処理（Ｓ３２０）について説明する。この処理（Ｓ３２０）の流れを図１１に示し、処理（Ｓ３０１）で表示部１０４を介して表示する閾値設定画面を図１０に示す。
【００６１】
最初に、評価者は生体信号の測定値に対する上限値を、入力部１０３を介して入力ボックス１００３に設定値を入力し（Ｓ１１０１）、次に生体信号の測定値に対する下限値を、入力部１０３を介して入力ボックス１００４に設定値を入力する（Ｓ１１０２）。
【００６２】
次に、評価者は閾値設定を測定時刻に応じて異なった設定を行いたい場合、入力部１０３を介して入力ボックス１００３に閾値設定時間間隔ｗを入力する（Ｓ１１０３）。ここでは、閾値設定時間間隔ｗは、０より大きく、かつ２４以下の数字に対応するものとし、また前記数値範囲内の小数にも対応するものとする。また閾値設定時間間隔ｗが未入力の場合は、測定時刻に応じて異なった閾値設定ができないものとする。
【００６３】
そして上記設定入力に変更があったかどうかを制御部１０１で判定し（Ｓ１１０４）、変更があった場合は表示部１０４を介して、閾値設定画面におけるの上限値グラフ１０１１の設定値更新、および上限値設定ポインタ１００７の表示間隔更新、および下限値グラフ１０１２の設定値更新、および下限値設定ポインタ１００８の表示間隔更新を行う（Ｓ１１０５）。ここで、異なる測定時間に対する閾値に対する番号を閾値設定番号ｎと表し、本発明第２の実施の形態においては０≦ｎ＜（２４／ｗ）の関係にある。
【００６４】
次に、評価者が測定時刻に応じた閾値設定を簡易に入力するためには、入力部１０３の一例としてマウスを介して入力する手順について説明する。評価者は、マウスにより上限値ポインタ１００７（ｎ）、もしくは下限値ポインタ１００８（ｎ）を表示部１０４上でクリックし、上下方向にドラッグすることにより、測定時刻に応じた閾値設定を行うことができる。
【００６５】
但し、上限値ポインタ１００７（ｎ）、および下限値ポインタ１００８（ｎ）は測定時刻が（ｎｗ）時以降かつ（（ｎ＋１）ｗ）時未満の測定値に対する閾値設定である。また、その他の閾値設定番号にたいしても同様で、閾値設定番号（ｎ＋１に対しては、上限値ポインタ１００７（ｎ＋１）、および下限値ポインタ１００８（ｎ＋１）が対応するというように、各測定時刻に応じた上限値、下限値ポインタが存在する。また、マウス入力設定する場合、上限値より下限値が大きい設定は不可とする。
【００６６】
また、評価者は、入力部１０３を介して上限値下限値連動設定チェックボックス１００６を選択することができる（Ｓ１１０６）。ここで、チェックボックス１００６を選択した場合は、上限値グラフ１０１１と下限値グラフ１０１２が連動して設定できるため、評価者の設定作業が簡素化できる。また、チェックボックス１００６を非選択とした場合、上限値グラフ１０１１と下限値グラフ１０１２を独立して設定できるため、よりきめ細やかな閾値設定ができる。上記内容で処理Ｓ３２０が終了となり、それ以降の部分は図３と同じであるために説明を省略する。
【００６７】
次に、測定値評価処理の流れは、図７と一部同じであり、その同じ部分に関する説明は省略し、異なる部分の処理（Ｓ７２０）について説明する。この処理（Ｓ７２０）の流れを図１２に示す。最初に、制御部１０１が生体信号の測定値に対する測定時刻を判定する（Ｓ１２０１）。ここでは設定時間間隔がｗ時間の場合で、閾値設定番号ｎとともに説明する。
【００６８】
測定時刻が０時以降（ｗ）時未満の場合は測定時刻に応じた閾値ＴＨ＿０を読み込み（Ｓ１２０２）、測定時刻が（ｎｗ）時以降（（ｎ＋１）ｗ）時未満の場合は測定時刻に応じた閾値ＴＨ＿（ｎ）を読み込み（Ｓ１２０２）、その他の測定時刻に対しても、同様の処理を行う。
【００６９】
次に、制御部１０１が測定値と閾値ＴＨ＿（ｎ）を比較して超過しているかどうかを判定する（Ｓ１２０５）。すなわち、超過している場合は、測定値に対応する評価フラグに（ｎｗ）時間閾値超過として記憶部１０２に保存し（Ｓ１２０６）、超過していない場合は、測定値に対応する評価フラグに測定値正常として記憶部１０２に保存する（Ｓ１２０７）。上記内容で処理（Ｓ７２０）が終了となり、それ以降の部分は図７と同じであるため説明を省略する。
【００７０】
（実施の形態３）
本発明の第３の実施の形態について説明する。第３の実施の形態は生体信号の測定値を評価するために測定条件、ここでは食前かどうか、さらに食後なら食事時刻から測定時刻までの時間差、に応じた閾値を設定し、その測定条件に応じた閾値と比較することにより、生体信号の測定値を評価する処理の動作について説明する。
【００７１】
本発明の第３の実施の形態における生体信号測定値評価システムの構成図は図１と同じであるため説明を省略する。また、本発明の第３の実施の形態における生体信号測定値評価システムにおける、処理の流れは図２と同じであるため説明を省略する。
【００７２】
以上の生体信号測定値評価システムおいて、最初に閾値設定処理（Ｓ２０３）について図３、図１３を用いてさらに詳細を説明し、次に測定値評価処理（Ｓ２０４）について図７、図１４を用いて詳細に説明する。以降、測定対象生体信号は血糖値としてより具体的に説明する。但し、生体信号として血糖値に限るものではなく、他の生体信号の測定値に対しても本発明の生体信号測定評価システムは適用可能である。
【００７３】
閾値設定処理の流れは、図３と一部同じであり、その同じ部分に関する説明は省略し、異なる部分の処理（Ｓ３２０）について説明する。図１３は本発明の第３の実施の形態における閾値設定画面である。最初に、評価者は生体信号の食後測定値に対する最大食後参照時間（Ｎｗ）を入力部１０３を介して入力ボックス１３０３に設定値を入力する。
【００７４】
次に閾値設定時間間隔ｗを入力ボックス１３０４に設定値を入力する。以上の設定により、食後測定値に対して設定可能な閾値を食後閾値設定個数Ｎと表し、（最大食後参照時間Ｎｗ）／（閾値設定時間間隔ｗ）の関係がある。このとき、食後閾値設定個数が変動すれば、表示部１０４を介して閾値設定画面の表示を更新する。ここでは、閾値設定時間間隔として、（ｗ）時間を例にとって説明する。また閾値設定時間間隔ｗが未入力の場合は、食後測定値に対する閾値設定は１つだけとする。
【００７５】
次に、評価者は生体信号の食前測定値に対する上限値ＴＨ＿Ｂを、入力部１０３を介して入力ボックス１３０５に設定値を入力し、次に生体信号の測定時刻と食事時刻との時間差が食後０時間以上から食後（ｗ）時間未満までの閾値に対する上限値を入力ボックス１３０６に設定値を入力し、さらに一般的には、生体信号の測定時刻と食事時刻との時間差が食後（ｎｗ）時間以上から食後（（ｎ＋１）ｗ）時間未満までの閾値に対する上限値ＴＨ＿Ａ（ｎ）を入力ボックス１３０７に設定値を入力し、生体信号の測定時刻と食事時刻との時間差が食後（（Ｎ−１）ｗ）時間以上から食後（Ｎｗ）時間未満までの閾値に対する上限値ＴＨ＿Ａ（Ｎ−１）を入力ボックス１３０８に設定値を入力する。
【００７６】
次に、評価者は測定値に対する下限値を、入力部１０３を介して入力ボックス１３０９に設定値を入力する。上記内容で処理Ｓ３２０が終了となり、それ以降の部分は図３と同じであるために説明を省略する。また、ここでは上限値に対する説明のみ行ったが、下限値についても当然適用可能であるが説明を省略する。
【００７７】
測定値評価処理の流れは、図７と一部同じであり、その同じ部分に関する説明は省略し、異なる部分の処理（Ｓ７２０）について説明する。この処理（Ｓ７２０）の流れを図１４に示す。最初に、制御部１０１が生体信号の測定値に対する測定条件、すなわち測定が食前か食後かを判定する（Ｓ１４０１）。ここでは測定値に対する測定条件、および食事時刻はが入力部１０３を介して測定値と同時に入力さており、記憶部１０２に保存するものとする。
【００７８】
また別の例では、血糖計の場合、測定者が血糖計で血糖値測定を行った後に、その測定に対する食後マークの付与／非付与を測定者が血糖計に対して入力し、血糖計の記憶部でその測定に対して食後マークを保存する機能があり、この食後マークを参照すれば、測定条件が食前か食後かを判断できる。
【００７９】
そして、測定条件が食後の場合は、制御部１０１において、食事時刻と測定時刻を記憶部１０２から読み込み（Ｓ１４０２）、食事時刻から測定時刻までの時間差を算出する。ここでは設定時間間隔が（ｗ）時間の場合で説明する。
【００８０】
すなわち、測定直前の食事時刻から測定時刻までの時間差が０時間以降（ｗ）時間未満の場合は時間差に応じた閾値ＴＨ＿Ａ０を読み込む（Ｓ１２０２）。一般的には、時間差が（ｎｗ）時間以降（（ｎ＋１）ｗ）時未満の場合は測定時刻に応じた閾値ＴＨ＿Ａ（ｎ）を読み込む（Ｓ１４０５）。但し、ｎは０≦ｎ＜Ｎの関係を満足するものとする。
【００８１】
そして次に、制御部１０１が測定値と閾値ＴＨ＿Ａ（ｎ）を比較して超過しているかどうかを判定する（Ｓ１４０９）。すなわち、超過している場合は、測定値に対応する評価フラグに（ｎｗ）時間閾値超過として記憶部１０２に保存し（Ｓ１４１０）、超過していない場合は、測定値に対応する評価フラグに測定値正常として記憶部１０２に保存する（Ｓ１４０９）。
【００８２】
また、測定条件が食前の場合、もしくは測定条件が食後であるが食事時刻と測定時刻の時間差が（Ｎｗ）時間以上である場合、測定値と食前閾値ＴＨ＿Ｂを比較して超過しているかを判定し（Ｓ１４０６）、超過している場合は、測定値に対応する評価フラグに食前閾値超過と保存し（Ｓ１４０７）、超過していない場合は、測定値に対応する評価フラグに測定値正常として記憶部１０２に保存する。上記内容で処理（Ｓ７２０）が終了となり、それ以降の部分は図７と同じであるため説明を省略する。また、ここでは上限値に対する説明のみ行ったが、下限値についても当然適用可能である。
【産業上の利用可能性】
【００８３】
以上のように、生体信号の測定条件、すなわち食前、食後、さらには生体信号の測定時刻に応じて異なった閾値設定ができることにより、生体信号の測定値をより正確に評価することができ、かつ生体信号の測定値の評価する評価者の作業を軽減できることができることから、医療機関に導入する生体信号測定値評価システムとして有用である。また、このシステムを生体信号モニタ内に導入すれば、医療機関の評価者を介せずに、測定者自身が自分の生体信号の測定値を評価するシステムとしても有用である。
【図面の簡単な説明】
【００８４】
【図１】本発明の実施の形態１における生体信号測定値評価システムの構成図
【図２】本発明の実施の形態１における生体信号測定値評価システムの動作流れ図
【図３】本発明の実施の形態１における生体信号測定値評価システムの閾値設定処理流れ図
【図４】本発明の実施の形態１における生体信号測定評価システムの閾値設定画面を示す図
【図５】本発明の実施の形態１における生体信号測定値評価システムの閾値設定値の保存形式説明図
【図６】本発明の実施の形態１における生体信号測定値評価システムの閾値設定値の一例を示す図
【図７】本発明の実施の形態１における生体信号測定値評価システムの測定値評価処理流れ図
【図８】本発明の実施の形態１における生体信号測定値評価システムの測定結果データの一例を示す図
【図９】本発明の実施の形態１における生体信号測定評価システムの測定結果画面を示す図
【図１０】本発明の実施の形態２における生体信号測定評価システムの閾値設定画面を示す図
【図１１】本発明の実施の形態２における生体信号測定評価システムの閾値設定処理流れ図
【図１２】本発明の実施の形態２における生体信号測定評価システムの測定値評価処理流れ図
【図１３】本発明の実施の形態３における生体信号測定評価システムの閾値設定画面を示す図
【図１４】本発明の実施の形態３における生体信号測定評価システムの測定値評価処理流れ図
【図１５】従来の生体信号測定値評価システムの構成図
【符号の説明】
【００８５】
１０１    制御部
１０２    記憶部
１０３    入力部
１０４    表示部
４０１，９０１    測定者選択リスト
４０２，９０２    測定項目選択リスト
４０３，１３０５    食前測定値に対する上限値入力ボックス
４０４，１３０６，１３０７，１３０８    食後測定値に対する上限値入力ボックス
４０５，１００４，１３０９    下限値入力ボックス
４０６    設定保存ボタン
４０７，９０８    取消ボタン
５０１    閾値設定テーブル
９０３    測定値グラフ
９０４    食後測定値に対する上限値グラフ
９０５    食前測定値に対する上限値グラフ
９０６    下限値グラフ
９０７    閾値超過測定値
１００３    上限値入力ボックス
１００５，１３０４    設定時間間隔入力ボックス
１００６    上限値、下限値連動設定チェックボックス
１００７    上限値設定ポインタ
１００８    下限値設定ポインタ
１０１０    上限値グラフ
１０１２    下限値グラフ
１３０３    最大食後参照時間入力ボックス
【図１】
2007117434.tif 000003
【図２】
2007117434.tif 000004
【図３】
2007117434.tif 000005
【図４】
2007117434.tif 000006
【図５】
2007117434.tif 000007
【図６】
2007117434.tif 000008
【図７】
2007117434.tif 000009
【図８】
2007117434.tif 000010
【図９】
2007117434.tif 000011
【図１０】
2007117434.tif 000012
【図１１】
2007117434.tif 000013
【図１２】
2007117434.tif 000014
【図１３】
2007117434.tif 000015
【図１４】
2007117434.tif 000016
【図１５】
2007117434.tif 000017